(57)【要約】【課題】  電気部品の誤挿入防止機能を有する電気部品用ソケットを提供すること。【解決手段】  電気部品５０が装着される上方に開放した箱状のハウジング１を有した電気部品用ソケットにおいて、ハウジング１の側壁２角部４のうち一角には電気部品５０の側面５１角部５３のうち一角に形成される突出部５６を配置する案内部３０が形成され、他の側壁２角部４にはそれぞれ電気部品５０の突出部５６と干渉する規制部３１が形成されてなる。【選択図】  図１
2006222061.tif 000002
【特許請求の範囲】
【請求項１】
電気部品が装着される上方に開放した箱状のハウジングを有した電気部品用ソケットにおいて、
上記ハウジングの側壁角部のうち一角には上記電気部品の側面角部のうち一角に形成される突出部を配置する案内部が形成され、他の側壁角部にはそれぞれ上記電気部品の突出部と干渉する規制部が形成されてなることを特徴とする電気部品用ソケット。
【請求項２】
電気部品が装着される上方に開放した箱状のハウジングを有した電気部品用ソケットにおいて、
上記ハウジングの側壁のうち一面には上記電気部品の側面のうち一面に形成される突出部を配置する案内部が形成され、他の側壁にはそれぞれ上記電気部品の突出部と干渉する規制部が形成されてなることを特徴とする電気部品用ソケット。
【請求項３】
上記ハウジングの側壁には上記電気部品と接続するコンタクト端子と接地用の接地部品とが複数設けられ、上記案内部は上記コンタクト端子と接地部品の上部に配置されることを特徴とする請求項１または２記載の電気部品用ソケット。
【請求項４】
上記ハウジングは上記電気部品を上方から覆う金属製のカバー部材を有し、上記接地部品の外面には上記カバー部材の側面に係合する係合部が形成されてなることを特徴とする請求項３記載の電気部品用ソケット。
【請求項５】
上記規制部は上記ハウジングの側壁上端部から上方に向かって突出状に形成されて上記電気部品の側面から外方に向かって突出する上記突出部と干渉することを特徴とする請求項１〜４のいずれか１項に記載の電気部品用ソケット。
【請求項６】
上記案内部は上端部が上記ハウジングの側壁の他の部分と連続状とされて上記電気部品の突出部を納めることを特徴とする請求項１〜５のいずれか１項に記載の電気部品用ソケット。
【発明の詳細な説明】
【技術分野】
【０００１】
本発明は、電気部品を装着する電気部品用ソケットに関し、特に電気部品の誤挿入防止機能を有する電気部品用ソケットに関する。
【背景技術】
【０００２】
従来、電気部品を納める電気部品用ソケットには複数のコンタクト端子が並置されており、電気部品がハウジングに装着された際に、コンタクト端子を電気部品の底面に有する接触部と接触させて電気接続するものが使用されている。電気部品の接触部とコンタクト端子とを確実に接触させるため、コンタクト端子の先端である接続部をバネ等の弾性部と連係し、弾性力によって接触部との接圧を確保する。このような電気部品用ソケットとしては、例えば特許文献１に挙げるようなものがある。
【特許文献１】実開平５−８７８７３号公報
【発明の開示】
【発明が解決しようとする課題】
【０００３】
しかし、従来の電気部品用ソケットにおいては、以下に述べる問題点を有していた。コンタクト端子は電気部品の接触部に対応して配置されており、電気部品をハウジングに装着する際には、電気部品の各側面を対応するハウジングの側面に正しく合わせて挿入しなければならない。しかし、電気部品及びハウジングは略方形に形成されるため、その向きの判断は困難である。このため、誤挿入してしまうことが多く、作業効率が低下していた。
【０００４】
本発明は上記課題を鑑みてなされたものであり、電気部品の誤挿入防止機能を有する電気部品用ソケットを提供することを目的とする。
【課題を解決するための手段】
【０００５】
上記課題を解決するため、本発明に係る電気部品用ソケットは、電気部品が装着される上方に開放した箱状のハウジングを有した電気部品用ソケットにおいて、
上記ハウジングの側壁角部のうち一角には上記電気部品の側面角部のうち一角に形成される突出部を配置する案内部が形成され、他の側壁角部にはそれぞれ上記電気部品の突出部と干渉する規制部が形成されてなることを特徴として構成されている。
【０００６】
また、本発明に係る電気部品用ソケットは、電気部品が装着される上方に開放した箱状のハウジングを有した電気部品用ソケットにおいて、
上記ハウジングの側壁のうち一面には上記電気部品の側面のうち一面に形成される突出部を配置する案内部が形成され、他の側壁にはそれぞれ上記電気部品の突出部と干渉する規制部が形成されてなることを特徴として構成されている。
【０００７】
さらに、本発明に係る電気部品用ソケットは、上記ハウジングの側壁には上記電気部品と接続するコンタクト端子と接地用の接地部品とが複数設けられ、上記案内部は上記コンタクト端子と接地部品の上部に配置されることを特徴として構成されている。
【０００８】
さらにまた、本発明に係る電気部品用ソケットは、上記ハウジングは上記電気部品を上方から覆う金属製のカバー部材を有し、上記接地部品の外面には上記カバー部材の側面に係合する係合部が形成されてなることを特徴として構成されている。
【０００９】
そして、本発明に係る電気部品用ソケットは、上記規制部は上記ハウジングの側壁上端部から上方に向かって突出状に形成されて上記電気部品の側面から外方に向かって突出する上記突出部と干渉することを特徴として構成されている。
【００１０】
さらにまた、本発明に係る電気部品用ソケットは、上記案内部は上端部が上記ハウジングの側壁の他の部分と連続状とされて上記電気部品の突出部を納めることを特徴として構成されている。
【発明の効果】
【００１１】
本発明に係る電気部品用ソケットによれば、ハウジングの側壁角部のうち一角または側壁のうち一面には電気部品の側面角部のうち一角または側面のうち一面に形成される突出部を配置する案内部が形成され、他の側壁角部または側壁にはそれぞれ電気部品の突出部と干渉する規制部が形成されてなることにより、電気部品をハウジングに対して所定の向きとして突出部と案内部の位置を合わせて挿入しないと、規制部が突出部に干渉して電気部品をハウジングに装着することができないので、電気部品の誤挿入を防止することができる。
【００１２】
また、本発明に係る電気部品用ソケットによれば、ハウジングの側壁には電気部品と接続するコンタクト端子と接地用の接地部品とが複数設けられ、案内部はコンタクト端子と接地部品の上部に配置されることにより、案内部の形成がコンタクト端子及び接地部品によっては制限されないので、案内部の形成の自由度をより高くすることができる。
【００１３】
さらに、本発明に係る電気部品用ソケットによれば、ハウジングは電気部品を上方から覆う金属製のカバー部材を有し、接地部品の外面にはカバー部材の側面に係合する係合部が形成されてなることにより、正しい向きで挿入された電気部品をハウジングに固定することができると共に、静電気および電気的ノイズ等による誤作動を防止することができる。
【００１４】
さらにまた、本発明に係る電気部品用ソケットによれば、規制部はハウジングの側壁上端部から上方に向かって突出状に形成されて電気部品の側面から外方に向かって突出する突出部と干渉することにより、電気部品を異なる向きで挿入すると、突出部が規制部に遮られて電気部品をそれ以上挿入することができないので、容易に電気部品の誤挿入を検出することができる。
【００１５】
そして、本発明に係る電気部品用ソケットによれば、案内部は上端部がハウジングの側壁の他の部分と連続状とされて電気部品の突出部を納めることにより、電気部品の突出部をハウジングの側壁に載置することができ、突出部を納める案内部を簡易な構成とすることができる。
【発明を実施するための最良の形態】
【００１６】
本発明の実施形態について図面に添って詳細に説明する。図１は本実施形態における電気部品用ソケットと電気部品５０の斜視図、図２は本実施形態におけるハウジング１の平面図、図３はハウジング１と電気部品５０の関係を示した側面図、図４は図２のＡ−Ａ断面図である。これら各図に示すように、本実施形態における電気部品用ソケットは、電気部品５０が装着されるハウジング１と、ハウジング１に複数設けられるものであって、電気部品５０と回路基板（図示しない）とを電気接続可能とするコンタクト端子１０とから構成される。また、電気部品５０にはハウジング１に装着した状態でカバー部材４０が上方から装着される。
【００１７】
ハウジング１に装着される電気部品５０は、数ミリメートル四方のシリコンなどの半導体を加工して、多数の回路素子を組み込み電子回路として機能するようにしたものである。本実施形態において電気部品５０は、さらに光学部品を組み込んだカメラモジュールとしている。ただし、電気部品５０としてはカメラモジュールには限られない。
【００１８】
また、電気部品５０は、底面５２に複数の接触部５４、５４を有しており、ハウジング１に装着して接触部５４とコンタクト端子１０を接触させることで、電気部品５０の回路基板に対する電気接続が可能となる。電気部品５０の角部５３のうち１つには、側面５１から角部５３のさらに外方に向かって突出するように断面略Ｌ字状の突出部５６が形成されており、後述するハウジング１の案内部３０に配置される。また、電気部品５０の各側面５１には、後述するハウジング１の抜け止め部材２０の係合爪２２と係合する段状の被係合部５５がそれぞれ設けられている。
【００１９】
電気部品５０を収容するハウジング１は樹脂等の絶縁材料から形成されると共に、上方が開放した箱状に形成される。ハウジング１は、上方から電気部品５０が挿入され嵌め込まれることによって、電気部品５０が装着された状態となる。
【００２０】
また、図１及び図２に示すように、ハウジング１の角部４のうち１つには、電気部品５０の角部５３に形成された突出部５６を配置する案内部３０が形成されている。また、案内部３０が形成されている角部４以外の他の３つの角部４にはそれぞれ電気部品５０の突出部５６と干渉する規制部３１が形成されている。
【００２１】
案内部３０はハウジング１の側壁２上端に設けられて、電気部品５０の側面５１に形成された突出部５６を載置する。本実施形態においては、案内部３０の上端部はハウジング１の側壁２と連続状に形成される。すなわち、電気部品５０は、電気部品５０の突出部５６の下面が側壁２の上端部まで挿入されるとハウジング１に装着されることになる。側壁２の上端部を案内部３０の上端部と連続状に形成することで、案内部３０を簡易な構成とすることができる。規制部３１は案内部３０を設けた角部４以外の３つの角部４の上端部から上方に突出する柱状に形成されており、ハウジング１の側壁２と一体的に構成されている。すなわち、規制部３１の上端部の高さは案内部３０の上端部の高さより高くなるように形成されている。
【００２２】
電気部品５０の向きをハウジング１に正しく合わせて挿入することにより、電気部品５０の突出部５６がハウジング１の案内部３０に配置される。図３は、電気部品５０を正しい向きとした場合と正しい向きとしていない場合それぞれの、ハウジング１と電気部品５０の関係を示した側面図である。
【００２３】
図３（ａ）は、電気部品５０を正しい向きでハウジング１に対して挿入した場合を示しており、この場合には電気部品５０の突出部５６がハウジング１の案内部３０に配置された状態となっており、電気部品５０はハウジング１に対して所定位置まで挿入されている。一方、図３（ｂ）は、電気部品５０を誤った向きでハウジング１に対して挿入しようとした場合を示している。電気部品５０を誤った向きとすると、ハウジング１の突出部５６に対応する位置には規制部３１が配置されており、この規制部３１と突出部５６が干渉して電気部品５０をそれ以上挿入することができないようにしている。
【００２４】
このように電気部品５０は、突出部５６を有する角部５３と案内部３０を設けた角部４とを対応させて挿入した場合にのみハウジング１に装着され、それ以外の向きではハウジング１の規制部３１と突出部５６が干渉してハウジング１に装着できないようにしている。したがって、電気部品５０を誤った向きでハウジング１に挿入することを防止できる。
【００２５】
本実施形態においては、突出部５６を電気部品５０の角部５３に、案内部３０及び規制部３１をハウジング１の角部４に、それぞれ形成した。しかし、案内部３０と規制部３１の位置については本実施形態に限られず、例えば、案内部３０をハウジング１の側壁２の中間位置に設け、それと対応して突出部５６を電気部品５０の側面５１の中間位置に設けるようにしてもよい。なお、本実施形態のように、突出部５６を電気部品５０の角部５３に、規制部３１を電気部品５０の角部５３に形成することで、ハウジング１のコンタクト端子１０等と干渉しにくいようにすることができ、より大きな突出部５６及び規制部３１を形成することができる。したがって、各規制部３１の強度を上げることができ、規制部３１と電気部品５０との衝突、または規制部３１と電気部品５０の突出部５６との衝突による規制部３１の変形や破損を防止することができる。
【００２６】
また、ハウジング１は、図１に示すように各側壁２にそれぞれ抜け止め部材２０を有している。抜け止め部材２０は、電気部品５０の装着した状態で、衝撃や落下等により電気部品５０がハウジング１から抜け外れることを防止するものであり、図４に示すように、ハウジング１に対して下方から取り付け自在な固定部２１と、電気部品５０の側面５１に設けられた段状の被係合部５５に対し係合する係合爪２２とから構成される。すなわち、ハウジング１と電気部品５０とを、係合爪２２及び固定部２１により上下方向からそれぞれ押えることで、電気部品５０の装着状態を維持することができる。また、ハウジング１は図４に示すように、底面３の側壁２近傍に貫通孔６を有している。
【００２７】
抜け止め部材２０の固定部２１は弾性を有した断面Ｕ字状に形成される。抜け止め部材２０は、固定部２１の係合爪２２側をハウジング１の貫通孔６に下方から挿入し、Ｕ字の両側で側壁２を弾性挟持または側壁２に圧入することによってハウジング１に取り付けられる。また、固定部２１は外面に後述するカバー部材４０の突部４２と係合する凹部２３を有している。抜け止め部材２０の係合爪２２は固定部２１の上部に形成されて、電気部品５０の被係合部５５と係合する。係合爪２２は、図４に示すように固定部２１の上端部をハウジング１の内側方向に折り返しフック状に形成される。係合爪２１をフック状としたので、段状に形成された電気部品５０の被係合部５５に対し上方から引掛けることによって、電気部品５０を上方から押さえることができる。
【００２８】
抜け止め部材２０は下方から取付自在とされており、電気部品５０を上方から押さえるようにしたので、電気部品５０をハウジング１に強固に固定することができ、電気部品５０がハウジング１から抜け出ることが防止され、電気部品５０の破損や紛失を防止することができる。
【００２９】
本実施形態においては、ハウジング１の各側壁２にそれぞれ抜け止め部材２０を１つずつ設ける構成としたが、抜け止め部材２０の位置及び数については、電気部品５０のハウジング１に対する装着状態を維持可能であれば、位置及び数は限定されない。ただし、本実施形態では、各側壁２にそれぞれ１つずつ抜け止め部材２０を設けたので、バランス良く電気部品５０とハウジング１とを挟み込むことができる。
【００３０】
電気部品５０が装着されたハウジング１には、通電検査等の終了後カバー部材４０が上方から装着される。カバー部材４０は、図１に示すように電気部品５０を上方から覆うと共に、ハウジング１の外側面に係脱自在とされており、ハウジング１に装着することによって電気部品５０を覆い保護する。
【００３１】
また、カバー部材４０は側面にハウジング１の抜け止め部材２０に対応した位置に弾性片４１を有しており、弾性片４１の内面には突部４２が形成されている。カバー部材４０をハウジング１に装着すると、カバー部材４０の弾性片４１は対応する抜け止め部材２０の固定部２１を突部４２で押圧する。このため、抜け止め部材２０はハウジング１にさらに強く固定されることになり、電気部品５０の抜け止めが補強される。
【００３２】
また、カバー部材４０の固定部２１は外面に凹部２３を有しているので、カバー部材４０をハウジング１に装着すると弾性片４１の突部４２が固定部２１の凹部２３に係合し、カバー部材４０がハウジング１から外れにくくなる。本実施形態では固定部２１の外面に凹部２３を設ける構成としたが、カバー部材４０の突部４２と係合可能な形状であれば本実施形態には限定されず、例えば、固定部２１の外面に穴を形成してもよい。
【００３３】
ハウジング１に複数設けられるコンタクト端子１０は、金属等の導電性材料から形成され、その先端部に形成される接続部１１が電気部品５０の接触部５４と対応してハウジング１内に配置されるものである。接続部１１は接触部５４との接触を確実にするために上部を断面略半円状に形成されている。
【００３４】
また、コンタクト端子１０は、ハウジング１の側壁２内に固定される固定部１２と、固定部１２の下端部からハウジング１の内側に向かって延出する第１端子部１３と、第１端子部１３から第１折り曲げ部１４を介してハウジング１の側壁２側上方に向かって延出する第２端子部１５と、第２端子部１５から第２折り曲げ部１６を介してハウジング１の内側上方に向かって延出する第３端子部１７とを備え、第３端子部１７の先端に接触部１１が形成される。
【００３５】
コンタクト端子１０の固定部１２は、ハウジング１の側壁２に埋め込まれるようにインサート成形または圧入される。固定部１２によりコンタクト端子１０は側壁２に固定される。第１端子部１３と第２端子部１５と第３端子部１７は、図４に示すように、第１、第２折り曲げ部１４、１６によりそれぞれ折り返して形成され、第２、第３端子部１５、１７がそれぞれ所定角度を有して上方に向かって延出しているので、上下方向に伸縮自在なバネとして弾性を有する。また、コンタクト端子１０の接続部１１は第１折り曲げ部１４より側壁２側に配置されている。
【００３６】
第１折り曲げ部１４と第２折り曲げ部１６は、それぞれ断面略半円状に折り返されて弾性を有している。このため、電気部品５０の挿入による接続部１１の下方移動を弾性支持することができ、電気部品５０の接触部５４との接圧を確保することができるため、接続部１１と接触部５４とをより確実に接触させることができる。
【００３７】
図５は、電気部品５０がハウジング１内に装着された状態を示した断面図である。この図に示すように、電気部品５０が装着されるとコンタクト端子１０は下方に縮み、接続部１１と電気部品５０の接触部５４とが接触する。コンタクト端子１０の接続部１１は、電気部品５０の挿入によって下方に押される。
【００３８】
このとき、第３端子部１７の先端である接続部１１は、第２折り曲げ部１６を中心としてハウジング１の内側方向に移動しようとする。しかし、接続部１１は第１折り曲げ部１４よりもハウジング１の側壁２側に配置されているために、第２折り曲げ部１６は第１折り曲げ部１４を中心としてハウジング１の外側方向に移動する。すなわち、第２折り曲げ部１６と接続部１１のハウジング１内外方向の動きが打ち消し合い、結局接続部１１は略鉛直下方に移動する。このように、接続部１１を第１折り曲げ部１４よりも側壁２側に配置することによって、接続部１１を下方にのみ移動させることができる。これにより、電気部品５０の接触部５４との接触を確実にすることができると共に、接続部１１の変形、破損等の不具合の発生を防止することができる。
【００３９】
このようにバネ状に形成された各端子部を２回折り曲げて上下方向に伸縮自在としたため、ハウジング１の側壁２側にバネ状の構成を設ける必要がなく、接続部１１の接触を確保しつつ、ハウジング１の側壁２を薄くすることができる。したがって、ハウジング１の小型化が可能となる。また、ハウジング１の側壁２に固定される固定部１２は、ハウジング１の側壁２に沿ってインサート成形または圧入されることにより、側壁２を厚くすることなくコンタクト端子１０を容易にハウジング１に固定することができる。
【００４０】
固定部１２の下端部からハウジング１の内側に向かって延出する第１端子部１３は、図４に示すようにハウジング１の下底面に下面が露出する。第１端子部１３は、下面を回路基板に半田付けされることによって、回路基板と電気部品５０との電気接続が可能となる。本実施形態においては、固定部１２によりコンタクト端子１０がハウジング１に固定されているので、第１端子部１３の下面全体を回路基板との接合面とすることができ、回路基板との接合強度を上げることができる。
【００４１】
次に第２の実施形態について説明する。図６は本実施形態における電気部品用ソケットと電気部品５０の斜視図、図７は本実施形態におけるハウジング１の平面図、図８は図７のＡ−Ａ断面図である。本実施形態における電気部品用ソケットは第１の実施形態同様、電気部品５０が装着されるハウジング１と、ハウジング１に複数設けられるものであって、電気部品５０と回路基板とを電気接続可能とするコンタクト端子１０とから構成される。また、電気部品５０にはハウジング１に装着した状態で金属製のカバー部材４０が上方から装着される。
【００４２】
ハウジング１に装着される電気部品５０は、第１の実施形態同様、光学部品を組み込んだカメラモジュールであり、側面５１に形成される突出部５６の位置が第１の実施形態と異なるものである。本実施形態における電気部品５０は、側面５１角部ではなくその側面５１に当該側面５１から外方に向かって突出するように突出部５６が形成される。また、電気部品５０の側面５１には、後述するカバー部材４０の爪部４６と係合する被係合部５７が形成される。
【００４３】
電気部品５０を収容するハウジング１は第１の実施形態同様、樹脂等の絶縁材料から形成されると共に、上方が開放した箱状に形成される。そして、電気部品５０の側面５１に形成された突出部５６の位置に対応して、ハウジング１の側壁２のうち１面に突出部５６を配置する凹状の案内部３０が形成される。また、案内部３０が形成された側壁２以外の３面の側壁２には、それぞれ側壁２上端と連続状に形成されて電気部品５０の突出部５６と干渉する規制部３１が形成される。
【００４４】
これにより電気部品５０は、突出部５６を有する側面５１と案内部３０を設けた側壁２とを対応させて挿入した場合にのみハウジング１に装着され、それ以外の向きではハウジングの規制部３１と突出部５６が干渉してハウジング１に装着できないようにしている。したがって、第１の実施形態同様、電気部品５０を誤った向きでハウジング１に挿入することを防止できる。
【００４５】
ハウジング１には、第１の実施形態同様、コンタクト端子１０が複数設けられる。ハウジング１の側壁２はコンタクト端子１０の固定部１２を圧入する挿入部５を有している。挿入部５は側壁２の下端から側壁２内の所定位置まで形成されており、コンタクト端子１０の固定部１２を側壁２に対し下方から圧入することによってコンタクト端子１０を固定する。
【００４６】
また、ハウジング１の側壁２には接地用の接地部品６０が取り付けられる。接地部品６０はカバー部材４０を回路基板に導通させるものであり、カバー部材４０と共に電気部品５０を静電気および電気的ノイズ等から保護する。接地部材６０は、図６及び図８に示すように、ハウジング１の側壁２に対し下方から取付られる固定部６１と、回路基板に接合される接続部６２とを有している。固定部６１は、外面に後述するカバー部材４０の弾性片４１と係合する凹部６３を有している。接地部材６０の接続部６２は断面Ｕ字状に形成され、下端部が回路基板に半田付け等によって接合される。
【００４７】
このようにコンタクト端子１０及び接地部品６０は、ハウジング１の側壁２に対し下方から取り付けられる。このため、ハウジング１の側壁２上部の形状についてはコンタクト端子１０及び接地部品６０を取り付けるために制限されず、電気部品５０の誤挿入防止のための案内部３０及び規制部３１をハウジング１の側壁２上部のどの位置にも形成することができる。
【００４８】
本実施形態におけるカバー部材４０は、図６に示すように電気部品５０を上方から覆うと共に、ハウジング１の外側面に係脱自在とされており、ハウジング１に装着することによって電気部品５０を保護する。カバー部材４０の上面は電気部品５０の上部に組み込まれた光学部品が露出するように開口部４５が形成される。そして、開口部４５の縁部には、電気部品５０の側面５１に形成される被係合部５７に係合する爪部４６が複数形成される。カバー部材４０をハウジング１に装着すると、爪部４６によって電気部品５０を上方から押さえることになり、電気部品５０がハウジング１から抜け出ることが防止される。
【００４９】
また、カバー部材４０の側面はハウジング１の接地部材６０に対応した位置に弾性片４１を有している。弾性片４１は、カバー部材４０の側面の一部を内方に折り曲げて弾性を持たせたものである。接地部材６０の固定部６１は外面に凹部６３を有しているので、カバー部材４０をハウジング１に装着すると弾性片４１が固定部６１の凹部６３に係合してカバー部材４０と接地部材６０が導通し、電気部品５０を静電気および電気的ノイズ等から保護すると共にカバー部材４０がハウジング１から外れにくくなる。
【００５０】
以上、本発明の実施形態について説明したが、本発明の適用はこれら実施形態には限られず、その技術的思想の範囲内において様々に適用されうるものである。例えば、ハウジング１内に並置されるコンタクト端子１０の数は、本実施形態に限られず、より多くてもよいし、より少なくてもよい。また、各コンタクト端子１０の配置についても本実施形態には限られず、電気部品５０の接触部５４の配置に対応して変更可能である。
【図面の簡単な説明】
【００５１】
【図１】本実施形態における電気部品用ソケットと電気部品の斜視図である。
【図２】本実施形態におけるハウジングの平面図である。
【図３】ハウジングと電気部品の関係を示した側面図である。
【図４】図２のＡ−Ａ断面図である。
【図５】電気部品を装着した際のハウジングの断面図である。
【図６】第２の実施形態における電気部品用ソケットと電気部品の斜視図である。
【図７】第２の実施形態におけるハウジングの平面図である。
【図８】図７のＡ−Ａ断面図である。
【符号の説明】
【００５２】
１    ハウジング
２    側壁
３    底面
４    角部
１０    コンタクト端子
１１    接続部
１２    固定部
１３    第１端子部
１４    第１折り曲げ部
１５    第２端子部
１６    第２折り曲げ部
１７    第３端子部
２０    抜け止め部材
２１    固定部
２２    係合爪
２３    凹部
３０    案内部
３１    規制部
４０    カバー部材
４１    弾性片
４２    突部
５０    電気部品
５４    接触部
５５    被係合部
５６    突出部
５７    被係合部
６０    接地部品
６１    固定部
６２    接続部
６３    凹部
【図１】
2006222061.tif 000003
【図２】
2006222061.tif 000004
【図３】
2006222061.tif 000005
【図４】
2006222061.tif 000006
【図５】
2006222061.tif 000007
【図６】
2006222061.tif 000008
【図７】
2006222061.tif 000009
【図８】
2006222061.tif 000010